(57)【特許請求の範囲】
【請求項１】
ペダルを踏込みすることによってスプレー式噴霧器を加圧して、スプレー式噴霧器内の液体を噴霧可能な足踏み式噴霧装置であって、足踏み式のペダルと、そのペダルの踏込みと解放によって上下にスライド可能なシャフトと、前記スプレー式噴霧器の容器を設置するための容器設置台と、その容器設置台に設置されたスプレー式噴霧器の押しヘッドを押し込む押し込み部を備え、前記押し込み部はシャフトの先端寄り箇所に設けられてペダルを足踏みすることにより前記シャフトが引き下げられると前記ヘッドを押し込みできるようにしてあり、シャフトの一部に撓み部が設けられ、撓み部はペダルを足踏みすることによりシャフトが無理に引き下げられると撓むようにしたことを特徴する足踏み式噴霧装置。
【請求項２】
請求項１記載の足踏み式噴霧装置において、スプレー式噴霧器のノズルの先方下方にノズルから噴霧された液体を受ける受け皿を設けたことを特徴する足踏み式噴霧装置。
【請求項３】
請求項１又は請求項２記載の足踏み式噴霧装置において、シャフトの上端寄り箇所に撓み部を形成したことを特徴する足踏み式噴霧装置。
【請求項４】
請求項１乃至請求項３のいずれかに記載の足踏み式噴霧装置において、スプレー式噴霧器の外周をカバーで被覆したことを特徴する足踏み式噴霧装置。
【請求項５】
請求項４記載の足踏み式噴霧装置において、カバーにノズル横ブレ防止部を設けたことを特徴する足踏み式噴霧装置。
【発明の詳細な説明】
【技術分野】
【０００１】
本願発明はスプレー式噴霧器を足踏み式で操作できるようにした足踏み式噴霧装置である。
【背景技術】
【０００２】
近年、インフルエンザの感染が大きな社会問題となっており、その予防策として、手指を除菌するための除菌液をスプレー噴霧するスプレー式噴霧器が用いられている。スプレー式噴霧器は樹脂製ボトル内の除菌液を手動操作で噴霧する手動式のものが広く流通しており、会社、学校、病院、図書館、公民館等、不特定多数の人が利用する施設の入り口や洗面所等に設置されて、施設利用者が自由に使用できるようになっている。
【０００３】
手動式の場合、手に荷物を持っていると手動操作しにくいとか、片方の手でスプレー式噴霧器を操作するため除菌液を両手に同時に噴霧しにくいといった難点がある。これら難点を解消すべく、ペダルを足で踏むとスプレー式噴霧器の押しボタン（ヘッド）が押されて除菌液が噴霧されるようにした足踏み式噴霧装置が開発されている（特許文献１）。
【先行技術文献】
【特許文献】
【０００４】
【特許文献１】特開２００８−２２９２９６号公報
【発明の概要】
【発明が解決しようとする課題】
【０００５】
前記特許文献１記載の足踏み式噴霧装置は、ペダルを踏むとスプレー式噴霧器の押しボタンが押されてスプレー式噴霧器内の除菌液が噴霧されるが、前記押しボタンを押す力がそのまま足にかかるため足への負担が大きいという難点があった。特に、押しボタンの降下速度よりも速くペダルを踏むと（急激に踏むと）、足にかかる負担が大きくなる。場合によっては液体が大量に出過ぎて、液体が無駄になることがある。
【０００６】
本願発明の課題は前記難点を解決でき、足への負担が少なく、踏み易く、液体が急激に無駄になるほど大量に出過ぎない足踏み式噴霧装置を提供することにある。
【課題を解決するための手段】
【０００７】
本願発明の足踏み式噴霧装置は、請求項１記載のように、ペダルを踏込みすることによってスプレー式噴霧器を加圧して、スプレー式噴霧器内の液体を噴霧可能な足踏み式噴霧装置であって、足踏み式のペダルと、そのペダルの踏込みと解放によって上下にスライド可能なシャフトと、前記スプレー式噴霧器の容器を設置するための容器設置台と、その容器設置台に設置されたスプレー式噴霧器の押しボタン（ヘッド）を押し込む押し込み部を備え、前記押し込み部はシャフトの先端寄り箇所に設けられてペダルを足踏みすることにより前記シャフトが引き下げられると前記ヘッドを押し込みできるようにしてあり、シャフトの一部に撓み部が設けられ、撓み部はペダルを足踏みすることによりシャフトが無理に引き下げられると撓むようにしたものである。
【０００８】
本願発明の足踏み式噴霧装置は、請求項２記載のように、スプレー式噴霧器のノズルの先方下方にノズルから噴霧された液体を受ける受け皿を設けることもできる。請求項３記載のように、前記撓み部をシャフトの上端寄り箇所に形成することもできる。請求項４記載のように、スプレー式噴霧器の外周をカバーで被覆することもできる。請求項５記載のように、カバーにノズル横ブレ防止部を設けることもできる。
【発明の効果】
【０００９】
本願発明の足踏み式噴霧装置は次のような効果がある。
（１）ペダルを急に足踏みしてシャフトがスプレー式噴霧器の押しボタンの降下よりも速く引き下げられると撓み部が撓むため、踏んだ足に負担がかかりにくくなる。このため、ペダルを急に足踏みしても液体が一度に多量に出過ぎることもなく、液体の無駄も少なくなる。
（２）受け皿を設ければ、噴霧された液体が床にこぼれることがなく足踏み式噴霧装置の周囲が汚れず衛生的であり、床の汚れやべたつきも発生しにくいため掃除も楽である。
（３）スプレー式噴霧器の外周をカバーで被覆すれば、足踏み式噴霧装置の体裁がよくなる。カバーでスプレー式噴霧器のノズルの振れを防止できるようにすれば、ノズルから噴霧される液体が確実に手に噴霧される。
（４）撓み部がシャフトの上端寄りの箇所を斜め上向きに曲げて形成されているので、撓み部の構造が簡潔で、形成も容易になる。
【図面の簡単な説明】
【００１０】
【図１】本願発明の足踏み式噴霧装置の一例を示す側面図。
【図２】本願発明の足踏み式噴霧装置にカバーを被せた場合の側面図。
【図３】本願発明の足踏み式噴霧装置に被せたカバーの一例を示す斜視図。
【図４】本願発明の足踏み式噴霧装置のペダルを踏まない状態の側面図。
【図５】本願発明の足踏み式噴霧装置のペダルを途中まで踏んだ状態の側面図。
【図６】本願発明の足踏み式噴霧装置のペダルを最後まで踏み込んだ状態の側面図。
【図７】本願発明の足踏み式噴霧装置の駆動機構の説明図。
【図８】本願発明の足踏み式噴霧装置の押し込み部の説明図。
【図９】本願発明の足踏み式噴霧装置の駆動機構の他の一例を示すもので、（ａ）はペダルを解放した状態の側面図、（ｂ）はその平面図。
【図１０】本願発明の足踏み式噴霧装置の駆動機構の他の一例を示すもので、（ａ）はペダルを踏み込んだ状態の側面図、（ｂ）はその平面図。
【発明を実施するための形態】
【００１１】
（実施形態１）
本願発明の足踏み式噴霧装置の第１の実施形態について、図１〜図８を参照しながら説明する。この実施形態の足踏み式噴霧装置１は、図１に示すように、台座２と、台座２の上に立設された支持具３と、台座２の上に設けたペダル４と、台座２の上に立設した縦長のパイプ状のガイド５と、ガイド５内に縦向きに挿通されたシャフト６と、ペダル４とシャフト６を連結してペダル４を踏むとシャフト６を引き下げる駆動機構７と、スプレー式噴霧器８を設置する容器設置台９と、容器設置台９の先方でスプレー式噴霧器８のノズル１０の先方に設けられた受け皿１１と、シャフト６の先端側（図では上端側）に取り付けられてスプレー式噴霧器８の押しボタン（ヘッド）１２を押し込む押し込み部１３と、下向きになった押し込み部１３を上向きに戻す復帰具１４（図８）を備えている。
【００１２】
前記台座２は、図７に示すように金属製の平板であり、その上に支持具３が縦向きに固定され、支持具３の先方にパイプ状のガイド５が立設固定されている。ガイド５の下端には円盤状の治具５ａが設けられ、その治具５ａが台座２にボルト・ナット、ビス等の止め具で固定されている。
【００１３】
前記支持具３は、図７に示すように、正面視略Ｌ字状の２枚の支持材３ａ、３ｂから構成され、２枚の支持材３ａ、３ｂの立ち上がり面を対向させた状態で、間隔をあけて台座２に固定されている。支持材３ａ、３ｂはボルト・ナット、ビス、接着剤等、各種固定手段によって固定することができる。
【００１４】
前記ペダル４は靴やサンダル等を履いた足或いは素足で踏むことができる程度の広さの板材であり、図４〜図６のように裏面に取り付けられた板状の駆動アーム１９が支持軸２０により支持具３に回動自在に取り付けられて、ペダル４が踏まれないときは後端部４ａが台座２から浮いている。
【００１５】
前記駆動機構７の一例として図４〜図７に示すものは、前記駆動アーム１９と、細長板状の連動アーム２１とを備え、連動アーム２１はその軸方向中程が回動軸２２により支持具３に回動自在に取り付けられ、後端部が駆動アーム１９の先端部と連結軸２３により上下動可能で回動可能に取り付けられ、先端部がガイド５の下端に開口された下縦溝２４（図７）からガイド５内に差し込まれてシャフト６の下端の係止受け部２５に連結されている。この連結構造とすることにより、ペダル４を踏み込むと駆動アーム１９が支持軸２０を回転軸として後端側が下がり、先端側が斜め上向きに回動し、これにより連動アーム２１の連結部２６が連結軸２３により押し上げられ、連動アーム２１が回動軸２２を回転軸として回動して先端側が下向きになるようにしてある。
【００１６】
前記シャフト６は棒材であり、上端側が先方に斜め上向きに曲げられて撓み部３０（図４〜６）が形成され、撓み部３０が前記ガイド５の上端部前面に開口された上縦溝３１（図８）から先方に突出している。前記撓み部３０の上は垂直に立ち上げられ、その先に鉤状の係止部３２が形成され、係止部３２が押し込み部１３（図８）に係止されている。
【００１７】
前記押し込み部１３は正面視下向きコ字状であり、その一端が係止軸３３（図８）によりガイド５の上端に回動自在に（前方に下向き首振り可能に）連結され、先端側に半円状の突起３４が押し込み成形されてスプレー式噴霧器８（図４〜図６）のヘッド１２の上に被さり、その突起３４と連結部との間にシャフト６の前記係止部３２が係止されている。
【００１８】
図８のように、係止軸３３には復帰具（例えば、線ばね）１４が巻き付けられ、その復帰具１４の一端が押し込み部１３の下面（内面）に、他端がガイド５の内周面に当接して、復帰具１４により常時押し上げ力が付与されるようにしてあり、この押し上げ力の付与により押し込み部１３はほぼ水平に保持されている。復帰具１４は線ばね以外のもの、例えばコイルばね、板ばねといった各種構造のばねを使用することもできる。
【００１９】
前記容器設置台９は、図４〜図６に示すように、既存のスプレー式噴霧器８の容器を載置可能な広さの板状であり、ガイド５の外周に取りつけられている。容器設置台９はガイド５に沿って昇降させて高さ調節可能とすることもできる。
【００２０】
容器設置台９の先端には受け皿係止部３６（図４〜図６）が形成され、それに受け皿１１を脱着係止できるようにしてある。受け皿１１の大きさ、形状、材質等は用途に合わせて決定できるが、プラスチック製で、スプレー式噴霧器８のノズル１０から噴霧される液体が外にこぼれない程度の大きさのものが適する。
【００２１】
前記スプレー式噴霧器８及び押し込み部１３の外側にはそれらを被覆できるカバー３７（図２）を脱着可能に被せてある。図３に示すように、カバー３７の前面には開口部３８が形成されてスプレー式噴霧器８の容器内の除菌液の残量を確認できるようにしてある。開口部３８の上方には横幅の狭いノズル突出口３９が連通開口されて、そこからスプレー式噴霧器８のノズル１０が突出するようにしてある。ノズル突出口３９は横幅がノズル１０の外径よりも多少広めにしてヘッド１２が押し込み部１３で押されたときにノズル１０が左右に首振りするのを防止できるようにしてある。カバー３７はスプレー式噴霧器８の全体を被覆できるものであってもよく、この場合も除菌液の残量確認のための確認窓（図示しない）とノズル突出口３９は開口する。
【００２２】
（足踏み式噴霧装置の作用）
本願発明の足踏み式噴霧装置の作用について図４〜図６を参照しながら説明する。
（１）図４に示すように容器設置台９にスプレー式噴霧器８を設置する。
（２）ペダル４を途中まで踏むと図５のように駆動アーム１９が支持軸２０を回転軸として終端側が下がり、先端側が斜め上向きに回動する。この回動に伴って連動アーム２１の連結部２６が連結軸２３により押し上げられ、連動アーム２１の先端側が下向きになってシャフト６が引き下げられ、押し込み部１３が係止軸３３を回動軸として下向きに首振りし、容器設置台９の上に設置してあるスプレー式噴霧器８のヘッド１２が押され、スプレー式噴霧器８のノズル１０から容器内の液体が噴霧される。
（３）ペダル４の踏み込が解放されると駆動機構７が踏み込み前の状態に戻り、押し込み部１３の先端部が復帰具１４（図８）で引き戻されて上向きに復帰し、この復帰によってシャフト６が上昇して押し込み部１３によるスプレー式噴霧器８のヘッド１２の押しが解放されて、前記液体の噴霧が停止する。
（４）前記ペダル４が急激に踏まれて、シャフト６が押し込み部１３によりスプレー式噴霧器８のヘッド１２が押されるよりも先に引き下げられると、シャフト６の撓み部３０が撓んで足にかかる負担が緩和される。また、前記撓み部３０の変形によりスプレー式噴霧器８のヘッド１２が押し込み部１３により急激に押されることがなく、液体が急激に大量に噴霧されることがない。
【００２３】
（実施形態２）
本願発明の足踏み式噴霧装置の第２の実施形態について、図９及び図１０を参照しながら説明する。この実施形態の足踏み式噴霧装置１の基本構造は、実施形態１と同様である。異なるのは駆動機構７として図４〜図７に示す連動アーム２１を設けずに、駆動アーム１９の先端をシャフト６の係止受け部２５に直接係止したことである。
【００２４】
図９及び図１０に示す駆動機構７は、台座２の上に２枚のＬ字状の支持材３ａ、３ｂを、間隔をあけて立設固定されている。支持材３ａ、３ｂはボルト・ナット、ビス、接着剤等、各種固定手段によって固定することができる。
【００２５】
駆動アーム１９は細長の板材であり、その後端側と中程に、支持具３との連結に用いる支持軸４０及び連結軸４１を挿通可能な開口穴４２が形成されている。駆動アーム１９の中程に形成された開口穴４２は、連結軸４１の外径よりも大径にしてあり、連結軸４１が開口穴４２内を移動できるようにしてある。駆動アーム１９の先端側はガイド５の下端に開口された下縦溝２４（図７）からガイド５内に差し込まれてシャフト６の下端の係止受け部２５に連結されている。駆動アーム１９の上面側にはペダル４が既存の固定手段によって固定されている。ペダル４は実施形態１と同様のものとすることができる。
【００２６】
支持具３の後端部と駆動アーム１９の後端部は支持軸４０によって、支持具３の先端部と駆動アーム１９の中程は連結軸４１によって、夫々回動可能に連結されている。この連結構造とすることにより、図１０（ａ）、（ｂ）のようにペダル４を踏み込むと、支持軸４０を回転軸として駆動アーム１９が回転してその先端側が下がり、シャフト６が引き下げられてシャフト６の先端に設けられた押し込み部１３が作動する。
【００２７】
（その他の実施形態）
前記実施形態は本願発明の足踏み式噴霧装置の一例であり、他の形状、構造、駆動機構、サイズ、材質等とすることもできる。
【産業上の利用可能性】
【００２８】
本願発明の足踏み式噴霧装置は、除菌液以外の液体、例えば、消毒液、石鹸液、食器用洗剤、シャンプー又はリンスといった各種液体の噴霧装置としても利用することができる。
【符号の説明】
【００２９】
１      足踏み式噴霧装置
２      台座
３      支持具
３ａ    支持材
３ｂ    支持材
４      ペダル
４ａ    ペダルの後端部
５      ガイド
５ａ    治具
６      シャフト
７      駆動機構
８      スプレー式噴霧器
９      容器設置台
１０    ノズル
１１    受け皿
１２    押しボタン（ヘッド）
１３    押し込み部
１４    復帰具
１９    駆動アーム
２０    支持軸
２１    連動アーム
２２    回動軸
２３    連結軸
２４    下縦溝
２５    係止受け部
２６    連結部
３０    撓み部
３１    上縦溝
３２    係止部
３３    係止軸
３４    突起
３６    受け皿係止部
３７    カバー
３８    開口部
３９    ノズル突出口
４０    支持軸
４１    連結軸
４２    開口穴
【図１】
0005409303.tif 000002
【図２】
0005409303.tif 000003
【図３】
0005409303.tif 000004
【図４】
0005409303.tif 000005
【図５】
0005409303.tif 000006
【図６】
0005409303.tif 000007
【図７】
0005409303.tif 000008
【図８】
0005409303.tif 000009
【図９】
0005409303.tif 000010
【図１０】
0005409303.tif 000011